(57)【特許請求の範囲】
【請求項１】
収縮可能な包装用タンク及び一方向にのみ吐水されるウォーターサーバーに適用されるパッケージ飲料水が完全に吐水されるパッケージ飲料水を確保する充填方法であって、
タンク部及びボトル口部を有する収縮可能な包装用タンクを提供し、且つ前記タンク部には収縮可能なガイドユニットが成形され、前記収縮可能な包装用タンクのタンク部が吐水に伴い圧力を受けて前記収縮可能なガイドユニットに沿って収縮され、且つ前記収縮可能な包装用タンクの収縮前には収縮前の容積を有し、前記収縮可能な包装用タンクの収縮後には収縮後の容積を有する収縮可能な包装用タンクを提供する工程と、
前記収縮可能な包装用タンク内に充填水及び充填物を有し、前記充填水及び充填物が常温常圧下での体積の合計は前記収縮前の容積に等しく、且つ前記包装用タンクの収縮前の充填物は常温常圧下での体積が前記包装用タンクの収縮後の容積より大きい関係となるように包装用タンク内に水及び充填物を充填する充填工程と、
水及び前記充填物が前記収縮可能な包装用タンク内に閉鎖される包装工程とを順に含み、
前記収縮可能な包装用タンクの前記タンク部の外表面には充填指示線が更に設けられ、
充填工程中に水が前記充填指示線の位置に充填されることを特徴とする、
パッケージ飲料水が完全に吐水されるパッケージ飲料水を確保する充填方法。
【請求項２】
前記充填物は空気或いは液体窒素であることを特徴とする、請求項１に記載のパッケージ飲料水が完全に吐水されるパッケージ飲料水を確保する充填方法。
【発明の詳細な説明】
【技術分野】
【０００１】
本発明は、パッケージ飲用水の充填方法に関する。
【背景技術】
【０００２】
様々な環境或いは空間の制限があるため、品質が保証された飲用水はどんな場所でも容易に取得できるものではなく、故にパッケージ飲用水の需要がある。
【０００３】
初期のパッケージ飲用水では、パッケージメーカーが水をパッケージングした後に販売しており、使用者が前記パッケージ飲用水タンクのボトル口部をウォーターサーバーの突出し棒に対応させて挿入させることで、蛇口を捻れば前記パッケージ飲用水タンク内の水がすぐにスムーズに吐水されて飲用できる。
しかし、初期のウォーターサーバーとパッケージ飲用水タンクとの間には二方弁が設置され、蛇口が開かれるとパッケージ飲用水タンク内の水が排出され、大気圧の作用により外界の空気が前記二方弁からパッケージ飲用水タンク内に進入した。この状況では、外界の空気中の細菌も同時に前記パッケージ飲用水タンク内に入り込んでしまい、飲用水が汚染される恐れがあった。
【０００４】
図１は従来の収縮可能なタンク１０を示す概念図である。前記収縮可能な包装用タンクは逆止弁を有するウォーターサーバーに組み合わせられて使用され、収縮可能な包装用タンク１０のボトル部１１には連続する凹部１１１が平行に設置され、凹部１１１の横断面は円形に配置され、且つ縦断面は二等辺三角形の態様に配置される。
収縮可能な包装用タンク１０が前記逆止弁のウォーターサーバーに組み合わせられて使用されると、蛇口が開かれると収縮可能な包装用タンク１０内の水が制御されて排出され、逆止弁による妨害及び大気圧の作用により、収縮可能な包装用タンク１０に収縮が発生する（図２参照）。
これらの凹部１１１の設置により収縮可能な包装用タンク１０の収縮の方向及び形態が制限され、収縮可能な包装用タンク１０から水が排出される際に、外界の物質が侵入して汚染されるのが防がれ、飲用水の品質が確保される。また、収縮可能な包装用タンクの使用後には再び自動的に収縮され、廃棄物として回収される。さらには、前記パッケージ飲用水の収縮動作により痕跡が発生することで、不審な業者により前記収縮可能な包装用タンクが回収されて再利用されるのが回避され、飲用水の安全にも配慮される。
【発明の概要】
【発明が解決しようとする課題】
【０００５】
前述した従来の技術、即ち、収縮可能な包装用タンク１０は収縮効果を有し、市場では多くの収縮可能な包装用タンク１０が収縮効率を高めるために凹部１１１の構造態様が改変されているが、前記収縮可能な包装用タンク１０の最も有効的な収縮を確保できておらず、前記収縮可能な包装用タンク１０内の水が完全に排出されず、よって資源が完全には利用されないという欠点の改善が待たれている。
【０００６】
そこで、本発明者は上記の欠点が改善可能と考え、鋭意検討を重ねた結果、合理的設計で上記の課題を効果的に改善する本発明の提案に到った。
【０００７】
本発明は、このような従来の問題に鑑みてなされたものであり、その目的とするところは、パッケージ飲料水が完全に吐水されるパッケージ飲料水を確保する充填方法を提供することである。
【課題を解決するための手段】
【０００８】
上述した課題を解決し、上記目的を達成するための本発明に係るパッケージ飲料水が完全に吐水されるパッケージ飲料水を確保する充填方法は、タンク部及びボトル口部を有する収縮可能な包装用タンクを提供し、且つ前記タンク部には収縮可能なガイドユニットが成形され、前記収縮可能な包装用タンクのタンク部が吐水に伴い圧力を受けて前記収縮可能なガイドユニットに沿って収縮され、且つ前記収縮可能な包装用タンクの収縮前には収縮前の容積を有し、前記収縮可能な包装用タンクの収縮後には収縮後の容積を有する収縮可能な包装用タンクを提供する工程と、
前記収縮可能な包装用タンク内に充填水及び充填物を有し、前記充填水及び充填物が常温常圧下での体積の合計は前記収縮前の容積に等しく、且つ前記包装用タンクの収縮前の充填物は常温常圧下での体積が前記包装用タンクの収縮後の容積より大きい関係となるように包装用タンク内に水及び充填物を充填する充填工程と、水及び前記充填物が前記収縮可能な包装用タンク内に閉鎖される包装工程とを順に含み、前記収縮可能な包装用タンクの前記タンク部の外表面には充填指示線が更に設けられ、充填工程中に水が前記充填指示線の位置に充填されることを特徴とする。
【発明の効果】
【０００９】
本発明は充填工程中に収縮可能な包装用タンク内に充填される水及び充填物の体積の制御を行い、充填物の体積を収縮可能な包装用タンクの収縮後の容積より大きくさせ、充填物が前記収縮可能な包装用タンク内の水が排出された後に収縮可能な包装用タンクに対して圧力を発生させ、収縮可能な包装用タンクに極めて高い収縮効果が発生し、且つ同時に収縮可能な包装用タンク内の水が完全に排出され、エネルギーの浪費を防ぎ、エネルギーの利用率を向上させる。
【図面の簡単な説明】
【００１０】
【図１】従来の収縮可能なタンクを示す概念図である。
【図２】従来の収縮可能なタンクの収縮態様を示す概念図である。
【図３】本発明の工程のフローチャートである。
【図４】本発明の充填体積を示す概念図である。
【図５】本発明の収縮後の容積を示す概念図である。
【発明を実施するための形態】
【００１１】
以下、図面を参照して、本発明を実施するための形態について、詳細に説明する。なお、本発明は、以下に説明する実施形態に限定されるものではない。
【実施例】
【００１２】
（第１実施形態）
本発明のパッケージ飲料水が完全に吐水されるパッケージ飲料水を確保する充填方法は、収縮可能な包装用タンク及び一方向にのみ吐水されるウォーターサーバーに適用され、以下の工程を含む。
収縮可能な包装用タンクを提供する工程（Ｉ）では、タンク部２１及びボトル口部２２を有する収縮可能な包装用タンク２０を提供し、且つタンク部２１には収縮可能なガイドユニット２１１が成形され、収縮可能な包装用タンク２０のタンク部２１が圧力を受けて収縮可能なガイドユニット２１１に沿って収縮され、且つ収縮可能な包装用タンク２０の収縮前には収縮前の容積Ｖ１を有し、収縮可能な包装用タンク２０の収縮後には収縮後の容積Ｖ２を有し、且つ収縮可能な包装用タンク２０のタンク部２１の外表面には充填指示線２１２が更に設置される。
充填工程（ＩＩ）では、収縮可能な包装用タンク２０内に水体積Ｖ３を有する充填水及び材料の体積Ｖ４を有する充填物を含み、常温常圧下での水体積Ｖ及び材料の体積Ｖ４の合計は収縮前の容積Ｖ１に等しく、即ち、Ｖ１＝Ｖ３＋Ｖ４であり、常温常圧下での材料の体積Ｖ４が収縮後の容積Ｖ２より大きく、即ち、Ｖ４＞Ｖ２であり、充填物は空気或いは液体窒素（常温では窒素）であり、充填物が液体窒素である場合、充填工程（ＩＩ）では液体窒素が充填され、一旦液体窒素が常温常圧の収縮可能な包装用タンク２０内に出力されると気体状態の窒素に変態し、本実施形態では、充填時に水が前記充填指示線の位置に充填される。
包装工程（ＩＩＩ）では、水及び前記充填物が前記収縮可能な包装用タンク２０内に閉鎖される。
【００１３】
以上が本発明に係るパッケージ飲料水が完全に吐水されるパッケージ飲料水を確保する充填方法であり、収縮可能な包装用タンク２０が上述の方法により充填された後、使用時には、収縮可能な包装用タンク２０がボトル口部２２を下に向けてウォーターサーバーに挿設されて使用される。使用状態では、収縮可能な包装用タンク２０のタンクの底部が上に向けられ、且つ収縮可能な包装用タンク２０内の水位の下方に位置され、収縮可能な包装用タンク２０内の充填物が上方に位置される。
【００１４】
水が収縮可能な包装用タンク２０からウォーターサーバーを経て排出された後、ウォーターサーバーが一方向へ吐水するのみであるため、外界の空気がウォーターサーバーから収縮可能な包装用タンク２０に進入できない。これにより、収縮可能な包装用タンク２０の排水後に、大気圧の作用により収縮可能な包装用タンク２０が収縮可能なガイドユニット２１１に沿って収縮され、収縮可能な包装用タンク２０が極限の収縮状態まで収縮され、収縮可能な包装用タンク２０内には収縮後の容積しか残らない。
収縮可能な包装用タンク２０の排水過程において、収縮可能な包装用タンク２０内に充填される充填物は上方に位置されて水と一緒には排出されない。このため、収縮可能な包装用タンク２０が収縮後の容積のみが残るまで収縮されると、収縮可能な包装用タンク２０内に位置される充填物の体積が収縮後の容積より大きくなり、収縮可能な包装用タンク２０内に水がなおも残る場合、充填物により残った水に対する圧力が発生し、収縮可能な包装用タンク２０内の水が収縮可能な包装用タンク２０から排出され、収縮可能な包装用タンク２０内の水が完全に排出されて使用され、エネルギーが完全に利用されるため、資源の浪費が減少する。
また、この状態では、充填物が収縮可能な包装用タンク２０に対して発生させる圧力により、収縮可能なガイドユニット２１１に最も好ましい収縮効果が発生する。
【００１５】
以上の構成から、本発明に係るパッケージ飲用水の充填方法は、様々な収縮可能な包装用タンク２０に適用され、収縮可能な包装用タンクの収縮効率や収縮可能なガイドユニット２１１の形式の差異に関わらず、本発明に係るパッケージ飲用水の充填方式により充填されるのみで前記収縮可能な包装用タンク２０内の水が完全に排出されて使用され、収縮可能な包装用タンク２０内に水が残ることがなくなり、エネルギーの使用率が確実に高まる。
【００１６】
以上、本発明の実施形態について図面を参照して詳述したが、具体的な構成はこの実施形態に限られるものではなく、本発明の要旨を逸脱しない範囲の設計変更等も含まれる。
【符号の説明】
【００１７】
１０    収縮可能な包装用タンク
１１    ボトル部
１１１  凹部
２０    収縮可能な包装用タンク
２１    タンク部
２１１  収縮可能なガイドユニット
２１２  充填指示線
２２    ボトル口部
Ｖ１    収縮前の容積
Ｖ２    収縮後の容積
Ｖ３    水体積
Ｖ４    材料の体積
（Ｉ）  収縮可能な包装用タンクを提供する工程
（ＩＩ）  充填工程
（ＩＩＩ）  包装工程
【図１】
0006487859.tif 000002
【図２】
0006487859.tif 000003
【図３】
0006487859.tif 000004
【図４】
0006487859.tif 000005
【図５】
0006487859.tif 000006